(57)【要約】【課題】河川における底生動物の定量採集の採集精度を向上させ、同時に生息環境についての情報を収集する。【解決手段】河床を４つの面で囲って、一定面積の底生動物を隔離する。上流側の面を可動式として下部に河床を剥ぎ取る爪を付け、水流によって生ずる水圧と梃子の原理を応用して上流側の面を下流側に移動させ、爪によって剥ぎ取った河床材料と共に隔離した底生動物を下流側に取り付けたサーバーネットで採集する。サーバーネットには大きさの異なる数種類の篩が取り付けてあり、目合によって河床材料は礫、砂礫、砂等に分類される。以上の操作により、隔離した面の底生動物をほとんど漏らさずに採集することができると共に、河床材料の分類から生息環境についての情報も得ることができる。【選択図】    図１
2005027645.tif 000002
【特許請求の範囲】
【請求項１】
河川において、河床を４つの面からなる立体の枠で囲み、水圧を受ける上流側の面を可動式にしてその下部に河床を剥ぎ取る爪を取り付け、この可動式の面が下部に取り付けた爪と共に下流側に移動することにより、枠の内部に生息する底生動物を河床材料と一緒に定量的に採集するようにした底生動物採集器。
【請求項２】
請求項１の上流側に位置する可動式の面と連動し、かつ、水流による水圧を受けて請求項１の可動式の面を引っ張るように動く底生動物捕集用のネットを、請求項１の可動式の面の反対側に取り付けた底生動物採集器。
【請求項３】
請求項２で、底生動物捕集用のネットの胴体部分を蛇腹式とすることにより、請求項１の可動式の面を引っ張る際にネットの部分が延びるように動く底生動物採集器。
【請求項４】
請求項１の可動式の面に、梃子の原理において支点となる突起と力点となる取っ手を取り付けることにより、下部に取り付けた爪が作用点となって河床を剥ぎ取るように動く底生動物採集器。
【請求項５】
請求項１の可動式の面の下部に取り付けた爪が河床を剥ぎ取る際に、剥ぎ取った河床材料を一定の大きさに篩い分ける篩を底生動物捕集用のネットの内部に持つ底生動物採集器。
【発明の詳細な説明】
【発明の詳細な説明】
【発明が属する技術分野】
【０００１】  本発明は、河川等の生物調査で底生動物を定量的に採集する方法に関し、河床の一定面積内に生息する底生動物を立体構造の枠を用いて他の部分から隔離し、隔離した底生動物を河床材料と共に採取することによって定量的な採集の精度を向上させるとともに、一緒に採取した河床材料を分類することによって底生動物の生息環境についての情報も同時に得ることができる装置に関するものである。
【背景技術】
【０００２】  コドラートとサーバーネットを組み合わせた底生動物の定量採集方法は、河川の生物調査ではごく一般的に行われている調査方法である。ここで、コドラートとは２５ｃｍ四方、３０ｃｍ四方、５０ｃｍ四方などの大きさを持つ方形の枠、ないしはこの枠で囲まれた部分を指し、サーバーネットとは底生動物捕集用に作られた目の細かい丈夫なネットのことを言う。【０００３】  このコドラートとサーバーネットを組み合わせた採集方法は、方形枠（コドラート）を河床に置いてその下流側にサーバーネットを配置し、方形枠の内部にある石を取り上げ、手で洗って石についた底生動物をサーバーネットに流し込むといった方法のため、厳密には枠外の底生動物が流れ込むことや枠内の底生動物が枠外に逃げ出すこともしばしば見受けられる採集方法である。【０００４】  また、手を用いて方形枠の内部の石を操作するため、埋もれた石の間の底生動物を完全には採集できないといった欠点や、河川の水深や流速による採集の難易度の違い、あるいは個人の採集技術によっても採集量が異なるなど、定量調査として位置付けられているにもかかわらず、精度の劣る採集方法である。
【発明が解決しようとする課題】
【０００５】  解決しようとする課題は、底生動物の定量採集において、コドラート内に生息する底生動物を高精度でかつ容易に採集するとともに、底生動物の生息環境を河床材料から判断するための情報を得ることを可能とする器具の開発である。
【課題を解決するための手段】
【０００６】  本発明は、従来、方形の枠であったコドラートを４つの面を持つ立体構造としてコドラート内を外部から隔離したことにより、コドラート内から外部への底生動物の逃亡や外部からの入り込みを防ぎ、コドラート内の底生動物を高い精度で採集する事を可能とした。
【０００７】  また、従来、人が直接、手を用いて行っていた石の掘り起こしや底生動物の洗い流しなどの作業を、水流によって生ずる水圧と梃子の原理を利用して河床に差し込んだ爪を動かし、河床を一定の深さで剥ぎ取ることによって効率化し、簡単で確実にコドラート内の底生動物を採集できるようにした。
【０００８】  さらに、本発明では、底生動物と一緒に河床材料を採取し、これを目合の異なる篩で分別することにより、底生動物の生息環境を河床材料から判断するための情報収集が、底生動物の採集と同時に行えるようになった。
【実施例】
【０００９】  図１は、本発明によって底生動物と河床材料を採取する際の実施方法を示したものである。
この一連の動きを説明すると、まず、本発明による底生動物定量採集器（以下、定量採集器という。）を足などで河床に固定する。このとき、定量採集器上流側の可動する面７の下部に取り付けた爪８は、河床に突き刺さるようにする。【００１０】  次に、上流側の可動する面７に取り付けてある支点５を、定量採集器本体９の側面に取り付けた２つ目の支点受け４に移動する。この移動した支点５を用いて力点となる取っ手６を上流側に動かすことによって、梃子の原理により爪８は河床を剥ぎ取るように下流側に移動する。【００１１】  この時、上流側の可動する面７と下流側に取り付けたサーバーネット１の両方には、水流による水圧によって下流方向に流されようとする力が働いているが、上流側の可動する面７と下流側のサーバーネット１を連結することにより、下流側に流されようとする２つの力を、河床を剥ぎ取るための力として利用することができる。【００１２】  定量採集器の下流側にあるサーバーネットの蛇腹部分２の節の一つ一つには、目合の異なる篩１０が取り付けてある。河床の剥ぎ取りが終わった段階で定量採集器の本体９から蛇腹部分２を含めてサーバーネット１を取り外し、篩１０の目合の大きい方を上にして全体を立てに配置し、上から順次水洗いをする。この時、篩１０の目合に応じて河床材料は下に流れ落ち、大きさに応じてそれぞれの篩の部分で留まるため、河床材料を礫、砂礫、砂などに分類することができる。【００１３】  この作業により、底生動物は篩の各段階で下のほうに洗い落とされ、最終的にはすべての底生動物が一番下のネットで採集される。
【発明の効果】
【００１４】  本発明は、次のような効果をもたらす。
【００１５】  これまでの底生動物の定量採集方法は、河川における水流・水深の違いなどによって作業の難易度が変わってくるため、地点別の河川状況の違いや同一地点における当日の河川状況によっても採集精度に大きな違いが見られた。また、採集する人間の熟練度によっても採集精度は異なる傾向があった。
【００１６】  本発明により、異なる水深・水流でも同一の採集精度が確保される。また、採集するための操作が統一され、しかも、熟練を必要としない簡単な操作であるため、採集者の熟練度に左右されない採集が可能となる。このため、採集の際に生じる誤差は大幅に低減される。
【００１７】  本発明は、コドラートを置く河床面を他の部分から立体構造を用いて隔離するため、これまでの方形枠を用いた方法に見られるような底生動物の枠外からの流れ込みや、枠内からの逃亡を防止することができる。このため、従来の方法に比べ、採集精度を高めることができる。
【００１８】  本発明は、水流による水圧と梃子の原理を応用して、少ない力で確実に底生動物が生息している河床そのものを剥ぎ取るため、石の隙間に隠れている底生動物なども取りこぼし無く採集できる。このため、人間が手を用いて直接石を操作する採集方法よりも、高い精度で採集することが可能である。
【００１９】  本発明は、河床材料も同時に採取するため、底生動物の生息場所である河床について、その粒度組成や材質などの情報も同時に得ることができる。
【図面の簡単な説明】
【図１】  本発明の実施例である。
【符号の説明】
１    サーバーネット
２    蛇腹部分
３    連結用の帯
４    支点受け
５    支点
６    力点となる取っ手
７    可動式の面
８    爪
９    定量採集器本体
１０  篩
【図１】
2005027645.tif 000003